(57)【要約】【課題】ユーザの利便性を考慮するとともに省電力を図ることが可能な画像形成装置を提供する。【解決手段】待機印刷ジョブを確認する（ステップＳ１１）。次に、ジョブＩＤを取得する（ステップＳ１２）。次に、待機印刷確認画面の表示指示をする（ステップＳ１３）。そして、一定時間内に、印刷要求があるかどうかを判断する（ステップＳ１４）。一定時間内に印刷要求がないと判断された場合には、待機印刷確認画面の消去を指示する（ステップＳ１６）。一定時間内に印刷要求があった場合には印刷を実行する（ステップＳ１５）。【選択図】図８
2010137410.tif 000002
【特許請求の範囲】
【請求項１】
印刷データを含む複数種類のジョブを受信する受信手段と、
前記受信手段により受信したジョブを一旦記憶する記憶手段と、
前記受信したジョブの種類を判別する判別手段と、
前記判別手段により、判別したジョブの種類に応じて印刷処理を実行する実行手段と、
前記判別手段により判別されたジョブが所定モード時にはジョブを前記記憶手段に蓄積する待機印刷ジョブである場合に前記実行手段において前記待機印刷ジョブを実行する場合には、前記待機印刷ジョブを送信した情報処理装置に対して前記待機印刷ジョブの印刷許可の確認を求めるジョブ実行確認手段とを備え、
前記実行手段は、前記ジョブ実行確認手段による印刷許可の確認結果に基づいて前記待機印刷ジョブに含まれる印刷データの印刷処理を実行する、画像形成装置。
【請求項２】
前記所定モードは、前記実行手段による印刷データの印刷処理が実行されてから所定期間、次の印刷処理の実行が無い場合に移行し、
前記実行手段は、前記所定モードに移行するまでの間、前記ジョブ実行確認手段により印刷許可が確認された前記待機印刷ジョブに含まれる印刷データの印刷処理を実行する、請求項１記載の画像形成装置。
【請求項３】
前記ジョブ実行確認手段は、前記所定のモードに移行した場合には、前記所定モードに移行する前にした前記待機印刷ジョブの印刷許可の確認を無効とする、請求項２記載の画像形成装置。
【請求項４】
前記記憶手段に受信した順に記憶された複数の待機印刷ジョブについて、各前記待機印刷ジョブに含まれる属性情報に基づいて順番を並び替えるジョブ並び替え手段をさらに備え、
前記ジョブ実行確認手段は、前記ジョブ並び替え手段により並び替えられた順番で前記待機印刷ジョブを送信した情報処理装置に対して印刷許可の確認を求める、請求項１記載の画像形成装置。
【請求項５】
前記属性情報は、カラー印刷あるいはモノクロ印刷に相当する、請求項４記載の画像形成装置。
【請求項６】
前記ジョブは、さらに送信元情報を含み、
前記ジョブ実行確認手段は、前記待機印刷ジョブを実行する場合には、前記待機印刷ジョブを送信した情報処理装置に対して前記記憶手段に記憶されている同一の送信元情報を含む別の待機印刷ジョブの印刷許可についても一括して確認を求める、請求項１記載の画像形成装置。
【請求項７】
前記ジョブ実行確認手段は、前記記憶手段に受信した順に記憶された複数の待機印刷ジョブについて、前記記憶手段に記憶された前記複数の待機印刷ジョブを送信したそれぞれの情報処理装置に対して待機印刷ジョブの印刷許可の確認を求め、
前記実行手段は、前記情報処理装置からの印刷許可の確認結果の順に対応する前記待機印刷ジョブに含まれる印刷データの印刷処理を実行する、請求項１記載の画像形成装置。
【請求項８】
操作手段をさらに備え、
前記実行手段は、前記ジョブ実行確認手段による印刷許可の確認結果に基づいて前記待機印刷ジョブに含まれる印刷データの印刷処理の実行受付画面を表示し、前記操作手段による前記実行受付画面の操作指示に従って印刷処理を開始する、請求項１記載の画像形成装置。
【請求項９】
前記ジョブ実行確認手段は、前記待機印刷ジョブを送信した情報処理装置に対して前記待機印刷ジョブの印刷許可の確認を求め、前記情報処理装置から印刷許可の確認が無い場合には、予め登録された携帯端末に前記待機印刷ジョブの印刷許可の確認を求める情報を送信する、請求項１記載の画像形成装置。
【発明の詳細な説明】
【技術分野】
【０００１】
本発明は、印刷データを印刷するタイミングを制御して省電力を可能とする画像形成装置に関する。
【背景技術】
【０００２】
画像形成装置、特に電子写真方式での印刷装置では、トナーを熱定着させるために特に定着器に多くの電力を消費する。印刷要求が連続ではなく、不定の時間間隔で入ってくる場合には、印刷部が稼動可能な通常モードと印刷部への電力が遮断された省電力モードとを繰返し、そのために定着器の昇温と常温のサイクルが繰返されることになり電力を多く消費してしまうことになる。
【０００３】
したがって、省電力モード時に、印刷すべき画像データの受信が生じたとき、装置の省電力モードを維持したまま、受信データを画像メモリ等に保持し、そして操作部などからユーザによる複写動作、またはプリント動作が指示され、装置がプリントアウト可能状態である装置のウォームアップ状態に移行した場合に、この機会を利用して画像メモリ等に保持された受信データを出力する方式が提案されている。
【０００４】
当該方式により、任意のタイミングでユーザがプリント動作を実行するとウォームアップが繰返されて省エネにならないが、急がないプリントについては待機印刷としてまとめてプリントさせることにより消費電力を低減することができる。
【０００５】
特開２００７−３２４６５０号公報においては、スリープ中に受信したジョブは保留し、保留ジョブに対して即時印刷命令があると管理者に通知され、指示されると印刷する方式が提案されている。
【０００６】
また、特開２００８−２３８９１号公報においては、印刷時において通常印刷か待機印刷かを選択することができるとともに、待機印刷時には予め指定したタイミングで印刷する方式が提案されている。
【特許文献１】特開２００７−３２４６５０号公報
【特許文献２】特開２００８−２３８９１号公報
【発明の開示】
【発明が解決しようとする課題】
【０００７】
しかしながら、特開２００８−２３８９１号公報においては、印刷時に出力のタイミングを指定することが可能であるが、ユーザ毎にタイミングを指定すると待機印刷をする意味がなくなり、十分な省電力効果を得ることができない。
【０００８】
また、特開２００７−３２４６５０号公報においては、特定の管理者に対して通知され、待機印刷を指示したユーザには情報が通知されないため出力された印刷データがいつ出力されたかわからず出力が放置状態となる可能性がある。
【０００９】
したがって、上記の方式では、まとめてプリントを実行する場合には、ユーザが気づかない間にプリントされて放置されることになり、結果として印刷物が他の人と混じって誤って持ち去られる可能性がある。そのため、結局、再プリントする必要等が生じ省電力化を十分に図ることができない。
【００１０】
本発明は、上記のような問題を解決するためになされたものであって、ユーザの利便性を考慮するとともに省電力を図ることが可能な画像形成装置を提供することを目的とする。
【課題を解決するための手段】
【００１１】
本発明に係る画像形成装置は、印刷データを含む複数種類のジョブを受信する受信手段と、受信手段により受信したジョブを一旦記憶する記憶手段と、受信したジョブの種類を判別する判別手段と、判別手段により、判別したジョブの種類に応じて印刷処理を実行する実行手段と、判別手段により判別されたジョブが所定モード時にはジョブを記憶手段に蓄積する待機印刷ジョブである場合に実行手段において待機印刷ジョブを実行する場合には、待機印刷ジョブを送信した情報処理装置に対して待機印刷ジョブの印刷許可の確認を求めるジョブ実行確認手段とを備える。実行手段は、ジョブ実行確認手段による印刷許可の確認結果に基づいて待機印刷ジョブに含まれる印刷データの印刷処理を実行する。
【００１２】
好ましくは、所定モードは、実行手段による印刷データの印刷処理が実行されてから所定期間、次の印刷処理の実行が無い場合に移行する。実行手段は、所定モードに移行するまでの間、ジョブ実行確認手段により印刷許可が確認された待機印刷ジョブに含まれる印刷データの印刷処理を実行する。
【００１３】
特に、ジョブ実行確認手段は、所定のモードに移行した場合には、所定モードに移行する前にした待機印刷ジョブの印刷許可の確認を無効とする。
【００１４】
好ましくは、記憶手段に受信した順に記憶された複数の待機印刷ジョブについて、各待機印刷ジョブに含まれる属性情報に基づいて順番を並び替えるジョブ並び替え手段をさらに備える。ジョブ実行確認手段は、ジョブ並び替え手段により並び替えられた順番で待機印刷ジョブを送信した情報処理装置に対して印刷許可の確認を求める。
【００１５】
特に、属性情報は、カラー印刷あるいはモノクロ印刷に相当する。
好ましくは、ジョブは、さらに送信元情報を含む。ジョブ実行確認手段は、待機印刷ジョブを実行する場合には、待機印刷ジョブを送信した情報処理装置に対して記憶手段に記憶されている同一の送信元情報を含む別の待機印刷ジョブの印刷許可についても一括して確認を求める。
【００１６】
好ましくは、ジョブ実行確認手段は、記憶手段に受信した順に記憶された複数の待機印刷ジョブについて、記憶手段に記憶された複数の待機印刷ジョブを送信したそれぞれの情報処理装置に対して待機印刷ジョブの印刷許可の確認を求める。実行手段は、情報処理装置からの印刷許可の確認結果の順に対応する待機印刷ジョブに含まれる印刷データの印刷処理を実行する。
【００１７】
好ましくは、操作手段をさらに備える。実行手段は、ジョブ実行確認手段による印刷許可の確認結果に基づいて待機印刷ジョブに含まれる印刷データの印刷処理の実行受付画面を表示し、操作手段による実行受付画面の操作指示に従って印刷処理を開始する。
【００１８】
好ましくは、ジョブ実行確認手段は、待機印刷ジョブを送信した情報処理装置に対して待機印刷ジョブの印刷許可の確認を求め、情報処理装置から印刷許可の確認が無い場合には、予め登録された携帯端末に待機印刷ジョブの印刷許可の確認を求める情報を送信する。
【発明の効果】
【００１９】
本発明に係る画像形成装置は、判別手段により判別されたジョブが所定モード時にはジョブを記憶手段に蓄積する待機印刷ジョブである場合に実行手段において待機印刷ジョブを実行する場合には、待機印刷ジョブを送信した情報処理装置に対して待機印刷ジョブの印刷許可の確認を求めるジョブ実行確認手段を備える。実行手段は、ジョブ実行確認手段による印刷許可の確認結果に基づいて待機印刷ジョブに含まれる印刷データの印刷処理を実行する。
【００２０】
当該方式により、待機印刷ジョブの印刷データの印刷処理が実行される場合には、情報処理装置に対して印刷許可の確認が求められるためユーザに認知させることが可能であり、ユーザが気づかない間にプリントされて放置されることを防止することが可能である。そのため、印刷物が他の人と混じって誤って持ち去られて再プリントする必要を防止することが可能であるため、ユーザの利便性が向上するとともに省電力を図ることが可能である。
【発明を実施するための最良の形態】
【００２１】
以下、図面を参照しつつ本発明の実施の形態について説明する。以下の説明において同一の部品および構成要素には同一の符号を付してある。それらの名称および機能も同一であるものとする。
【００２２】
（実施の形態１）
図１は、本発明の実施の形態１に従う画像形成システムを説明する概略図である。
【００２３】
図１を参照して、本発明の実施の形態１に従う画像形成システム１は、ＭＦＰ（Multi Function Peripheral）１００と、ＭＦＰ１００とネットワーク８００で結合されたパーソナルコンピュータ（単にパソコンとも称する）２００，３００，２５０とを備える。
【００２４】
ＭＦＰ１００は、ユーザ端末であるパソコン２００，２５０，３００から受信した印刷データを印刷する印刷機能やコピー機能、ファクシミリ機能等を備えている。
【００２５】
また、ＭＦＰ１００は、スキャナで読込んだ画像データをもとに指定されたフォーマットのデータを作成し、指定されたユーザ端末に対して送信するファイル転送機能等も備えている。
【００２６】
さらに、ＭＦＰ１００は、後述するがユーザ端末でのパソコン２００，２５０，３００から受信した印刷データを記憶部に一旦記憶し、ＭＦＰ１００がウォームアップした際に記憶部に記憶された印刷データの印刷処理を行なう待機印刷機能もさらに備えている。
【００２７】
また、図１においては携帯端末４００，４５０も設けられており、後述するがＭＦＰ１００から指定された携帯端末に対して情報を送信する機能も備えているものとする。
【００２８】
なお、本実施の形態においては、ＭＦＰ１００としての複合機を図示しているが、単機能のプリンタ等で構成されるものであってもよい。
【００２９】
ユーザ端末であるパソコン２００，２５０，３００は、ＭＦＰ１００に対して印刷データを送信し印刷処理を行なわせる。なお、本例においては一例とも３つのパソコン２００，２５０，３００を示しているが、３つに限られずいくつであってもよい。
【００３０】
ネットワーク８００は、ＬＡＮ（Local Area Network）であってもよいし、公衆回線等を用いたＷＡＮ（Wide Area Network）であってもよい。なお、ＭＦＰ１００が行なうネットワーク８００を介する通信は有線であってもよいし無線であってもよい。
【００３１】
なお、一例としてパソコン２００，２５０，３００は、それぞれユーザＡ、ユーザＢ、ユーザＣのユーザ端末に対応しているものとする。また、携帯端末４００は、ユーザＡの携帯端末であるものとする。また、携帯端末４５０は、ユーザＢの携帯端末であるものとする。
【００３２】
図２は、本発明の実施の形態に従うＭＦＰ１００の機能ブロック図である。
図２を参照して、本発明の実施の形態に従うＭＦＰ１００は、紙媒体等の資料を電子データに変換する画像読取部１０３と、記憶部１０２を構成するＲＯＭ（Read-Only Memory）と、ＲＡＭ（Random Access Memory）と、ＨＤＤ（Hard Disk Drive）と、印刷処理を実行する印刷部１０６と、ネットワーク８００を介して外部機器であるパソコン２００，２５０，３００等との間でデータの送受信を実行するための通信部１０７と、入力された画像データに対して補正、加工、編集を行なったり、印刷部１０６等への出力画像データに対して補正、解像度変換等を行なう画像処理部１０４と、情報を表示する表示部とともに、タッチパネルやテンキー等が設けられた操作パネル部１０５と、通常モードと省電力モードとを切換える電力モード切換部１０８と、ＭＦＰ１００全体を制御する制御部１０１とを備える。
【００３３】
なお、各部は内部バス１１１を介して制御部１０１と接続されており、制御部１０１は、各部との間でデータの授受を実行することが可能である。
【００３４】
通信部１０７は、ネットワーク８００で接続されたユーザ端末であるパソコン２００，２５０，３００等からのデータを受信するとともにＭＦＰ１００からのデータを送信する。
【００３５】
記憶部を構成するＲＡＭは、揮発性の半導体記憶装置であり、制御部１０１での制御処理の際に必要なワーキングエリアとして用いられる。
【００３６】
ＲＯＭおよびＨＤＤは不揮発性半導体記憶装置である。
なお、ＲＯＭには、ＭＦＰ１００の各種機能を実現するためのソフトウェアプログラムが格納されており、制御部１０１は、ＲＯＭに格納されている各種プログラムを読出すことにより所定の機能を実現するものとする。
【００３７】
また、ＨＤＤには、パソコン２００，２５０，３００等との間で情報通信を実行するために必要なＩＰアドレス等を含む後述するユーザ管理テーブルや、ユーザがログインするために必要な認証データ等を格納しているものとする。
【００３８】
また、制御部１０１は、通信部１０７を介して外部のネットワークを介して接続されたパソコン２００等から受信するジョブを受取るジョブ受取部１１０と、受取ったジョブの並び替え処理を実行するジョブ並び替え手段１１２と、ジョブの実行を制御するジョブ実行制御部１１４と、ジョブの実行を確認するジョブ実行確認手段１１６とを含む。
【００３９】
電力モード切替部１０８は、通常モードと、省電力モードとを有し、印刷部における印刷動作を実行する場合には、通常モードに設定され、定着器等に電力が供給され昇温状態が維持されているものとする。一方、一定時間、ＭＦＰ１００における印刷動作等の動作処理が実行されない場合には、スリープ状態となり電力モードは省電力モードとなって電力の消費が低減されるものとする。この省電力モードの場合には、定着器等に電力が供給されておらず、定着器の温度は常温状態であり、電量の消費が低減されているものとする。
【００４０】
図３は、本発明の実施の形態１に従うパソコン２００の概略構成を説明するブロック図である。
【００４１】
図３を参照して、本発明の実施の形態１に従うパソコン２００は、オペレーティングシステム（ＯＳ：Operating System）を含む各種プログラムを実行するＣＰＵ（Central Processing Unit）２０１と、ＣＰＵ２０１のプログラム部分の実行に必要なデータを一時的に記憶するメモリ部２１３と、ＣＰＵ２０１で実行されるプログラムを不揮発的に記憶するハードディスク部（ＨＤＤ：Hard Disk Drive）２１１とを含む。
【００４２】
また、ハードディスク部２１１には、ＭＦＰ１００に対して印刷データを送信するためのソフトウェアプログラムであるプリンタドライバが記憶されており、当該プリンタドライバをＣＰＵ２０１が読み込むことにより、後述する機能が実現される。このようなプログラムは、ＦＤドライブ２１７あるいはＣＤ−ＲＯＭ（Compact Disc-Read Only Memory）ドライブ２１５によってそれぞれフレキシブルディスク２１７ａまたはＣＤ−ＲＯＭ２１５ａなどから読取られる。
【００４３】
ＣＰＵ２０１は、キーボードやマウス等からなる入力部２０９を介してユーザからの指示を受け取るとともに、プログラム実行によって生成される画面出力をディスプレイ部２０５へ出力する。
【００４４】
また、ＣＰＵ２０１は、ＬＡＮカード等からなる通信インターフェイス部２０７を介してＬＡＮやＷＡＮに接続されたＭＦＰ１００に対して印刷データを送信する。また、上述の各部は、内部バス２０３を介して相互にデータを授受する。なお、パソコン２５０，３００についても同様の構成であるのでその説明は繰り返さない。
【００４５】
図４は、本発明の実施の形態１に従うパソコン２００のディスプレイ部２０５に表示される印刷設定画面を説明する図である。
【００４６】
図４を参照して、プリンタドライバがＣＰＵ２０１に読み込まれることにより当該印刷設定画面が表示され、各種設定動作を実行可能であるものとする。
【００４７】
本発明の実施の形態１に従う印刷設定画面５００において、ここでは、「基本設定画面」が一例として示されている。ユーザは、一例として「原稿の向き」、「原稿サイズ」、「用紙サイズ」、「出力方法」および「部数」等を入力部２０９に含まれるマウス等のポインティングデバイス等を用いて設定することが可能である。
【００４８】
また、ここでは「出力方法」の設定として「通常印刷」、「待機印刷」、「ボックス保存」等を選択可能な場合が示されており本例においては出力方法として「待機印刷」にカーソル５０５が指定されている場合が示されている。
【００４９】
ここで、「通常印刷」は、出力方法として一般的な形式を指定するものであり、通常印刷として指定されたジョブは、ＭＦＰ１００に送信されて、受信されると直に印刷処理が実行される（即時印刷）。
【００５０】
「待機印刷」は、通常印刷とは異なり、装置の状態に応じて印刷されるジョブであり、ＭＦＰ１００に送信されて、受信されると所定のタイミングで印刷処理が実行される。
【００５１】
「ボックス保存」は、出力方法として、印刷処理を実行せずＨＤＤの所定の記憶領域に保存するジョブであり、ＭＦＰ１００に送信されて、受信されるとＭＦＰ１００のＨＤＤの所定の記憶領域に保存される。所定の記憶領域に保存されたデータは、ユーザの指示に従ってプリント動作等が可能である。
【００５２】
本例においては、「待機印刷」にカーソル５０５が指定されている状態において「ＯＫ」ボタン５１０を押下することにより印刷データおよび各種設定に関するジョブデータを含む待機印刷ジョブを送信する場合について主に説明する。
【００５３】
なお、「Cancel」ボタン５１５を押下することにより、印刷設定画面５００を終了することが可能である。
【００５４】
図５は、本発明の実施の形態１に従うＭＦＰ１００の記憶部１０２に格納されているユーザ管理テーブルを説明する図である。
【００５５】
図５を参照して、ここでは登録されたユーザ名毎にユーザＩＤが割り振られるとともに、ユーザ名に対応してＩＰアドレスがそれぞれ割り付けられている場合が示されている。
【００５６】
具体的には、ユーザ名として、「ユーザＡ」は、ユーザＩＤが「１」であり、ＩＰアドレスが「１０．２０．２０．９８」が登録されている場合が示されている。
【００５７】
また、「ユーザＢ」は、ユーザＩＤが「２」であり、ＩＰアドレスが「１０．２０．２０．９３」が登録されている場合が示されている。「ユーザＣ」は、ユーザＩＤが「１０」であり、ＩＰアドレスが「１０．２０．２０．１０５」が登録されている場合が示されている。
【００５８】
図６は、本発明の実施の形態１に従う印刷ジョブの実行を説明する処理の流れを説明するフロー図である。
【００５９】
図６を参照して、まず印刷ジョブの受信があるかどうかを判断する（ステップＳ１）。具体的には、ジョブ受取手段１１０は、通信部１０７を介して印刷ジョブを受取ったかどうかを判断する。
【００６０】
ステップＳ１において、印刷ジョブを受信した場合には、次に、受信したジョブを蓄積する（ステップＳ２）。具体的には、ジョブ受取手段１１０は、通信部１０７を介して印刷ジョブを受信したと判断した場合には、記憶部１０２に受信した印刷ジョブを記憶する。具体的には、印刷ジョブに含まれている印刷データを記憶部１０２のＨＤＤに格納するとともに、印刷データに関するジョブデータを記憶部１０２のＲＡＭに記憶されている後述するジョブ管理テーブルに格納する。
【００６１】
本例においては一例として、上述したプリンタドライバに従う出力方法として、「通常印刷」あるいは「待機印刷」に設定されたいずれかの印刷ジョブを受信するものとして説明する。なお、例えば、「ボックス保存」が設定されている場合には、印刷処理は実行されないためＨＤＤの所定の記憶領域に格納されるものとする。
【００６２】
次に、印刷ジョブは即時印刷かどうかを判断する（ステップＳ３）。具体的には、ジョブ実行制御手段１１４は、記憶部１０２に格納された印刷ジョブが即時印刷であるか否かを判断する。具体的には、上述したパソコン２００等において印刷設定画面において設定された出力方法が「通常印刷」であるか否かを判断する。
【００６３】
ステップＳ３において、印刷ジョブが即時印刷であると判断した場合には、次に即時印刷を実行する（ステップＳ４）。
【００６４】
具体的には、ジョブ実行制御手段は、記憶部１０２に格納された印刷ジョブの出力方法が「通常印刷」である場合には、印刷ジョブに含まれている印刷データを印刷部１０６に出力し、印刷部１０６において印刷データの印刷処理を実行する。
【００６５】
なお、この場合において、電力モードが省電力モードである場合には、電力モード切替部１０８において、電力モードは通常モードに切り替わるものとする。
【００６６】
そして、次に、待機印刷ジョブが蓄積されているかどうかを判断する（ステップＳ５）。具体的には、ジョブ実行制御手段１１４は、記憶部１０２に待機印刷ジョブが蓄積されているかどうかを判断する。
【００６７】
ステップＳ５において、待機印刷ジョブが蓄積されていないと判断された場合には処理を終了する（エンド）。
【００６８】
一方、ステップＳ５において、待機印刷ジョブが蓄積されていると判断された場合には次に待機印刷を実行する（ステップＳ６）。具体的には、ジョブ実行制御手段１１４は、記憶部１０２に待機印刷ジョブが蓄積されていると判断した場合には、待機印刷を実行する。待機印刷については後述する。
【００６９】
一方、ステップＳ３において、印刷ジョブが即時印刷でないと判断された場合には、次にウォームアップ済みかどうかを判断する（ステップＳ８）。
【００７０】
具体的には、ジョブ実行制御手段１１４は、記憶部１０２に格納された印刷ジョブの出力方法が「通常印刷」でないと判断した場合、すなわち、「待機印刷」の場合には、ウォームアップ済みがどうかを判断する。
【００７１】
本例においては、ウォームアップ済みかどうかの判断は、一例として、電力モード切替部１０８において通常モードか省電力モードか否かを確認して、通常モードであればウォームアップ済みであると判断する。一方、省電力モードである場合には、ウォームアップ済みでないと判断する。
【００７２】
そして、ステップＳ８において、ウォームアップ済みであると判断した場合には、次に待機印刷を実行する（ステップＳ６）。ジョブ実行制御手段１１４は、電力モード切替部１０８における電力モードを確認してウォームアップ済みか否かを判断し、ウォームアップ済みであると判断した場合には、後述する待機印刷を実行する。
【００７３】
一方、ステップＳ８において、ウォーム済みでないと判断された場合には、次に、ステップＳ９に進み、蓄積ジョブ数が所定の数Ｍよりも大きいかどうかを判断する（ステップＳ９）。具体的には、ジョブ実行制御手段１１４は、電力モード切替部１０８における電力モードを確認してウォームアップ済みか否かを判断し、ウォームアップ済みでないと判断した場合には、記憶部１０２に蓄積されている蓄積ジョブ数を確認して、所定の数Ｍを超えたかどうかを判断する。
【００７４】
ステップＳ９において、蓄積ジョブ数が所定の数Ｍよりも大きいと判断された場合には、待機印刷を実行する（ステップＳ６）。具体的には、ジョブ実行制御手段１１４は、記憶部１０２に蓄積されている蓄積ジョブ数が所定の数Ｍを超えたと判断した場合には、後述する待機印刷を実行する。
【００７５】
所定の数Ｍを越える蓄積ジョブ数が溜まった場合には、まとめて印刷可能であるため待機印刷を実行することにより、省電力化を図ることが可能である。この場合には、ウォームアップ済みでなく、スリープ状態であるため電力モード切替部１０８は、電力モードを切り替えてウォームアップを実行するものとする。
【００７６】
一方、ステップＳ９において、蓄積ジョブ数が所定の数Ｍよりも小さいと判断された場合には処理を終了する（エンド）。所定の数Ｍよりも小さい場合には、待機印刷を蓄積して蓄積ジョブ数が溜まった段階でまとめて待機印刷を実行する方が省エネとなるからである。
【００７７】
なお、所定の数Ｍは、待機印刷ジョブを格納可能な記憶部の容量、ユーザの利便性ならびに省電力を考慮して適切な値に設定されるものとする。
【００７８】
なお、本例においては、ステップＳ６において、蓄積ジョブ数が所定の数Ｍよりも大きいか否かを判断基準としたがこれに限られず、例えば期間に基づいて判断するようにしても良い。例えば、スリープ状態に入ってから一定期間経過したか否かに基づいて、一定期間経過した場合には、待機印刷を実行するようにすることも可能である。あるいは、時刻に基づいて判断するようにしても良い。
【００７９】
なお、ウォームアップ済みかどうかの判断について、上記においては、一例として、電力モード切替部１０８において通常モードか省電力モードか否かを確認して、通常モードであればウォームアップ済みであると判断し、省電力モードである場合には、ウォームアップ済みでないと判断する場合について説明したが、一定時間内にＭＦＰ１００における印刷動作等の動作処理が実行されているか、実行されていないかを判断して、一定時間内にＭＦＰ１００における印刷動作等の動作処理が実行されている場合には通常モードと判断してウォームアップ済みと判断し、一定時間内にＭＦＰ１００における印刷動作等の動作処理が実行されていない場合には省電力モードと判断してウオームアップ済みでないと判断することも可能である。
【００８０】
図７は、本発明の実施の形態１に従う印刷ジョブを受信した場合に蓄積されるジョブ管理テーブルの内容を説明する図である。
【００８１】
なお、ジョブ管理テーブルは、記憶部１０２のＲＡＭに格納されているものとする。
図７を参照して、印刷ジョブの受信順にジョブＩＤが割り振られるものとする。上述したようにジョブ受取手段１１０で受信された印刷ジョブに含まれているジョブデータがジョブ管理テーブルに格納される。具体的には、印刷ジョブに含まれているジョブデータとして、ジョブを送信した時刻である「依頼時刻」、ユーザ名毎に割り当てられた「ユーザＩＤ」、印刷の種類を示す「印刷種類」、印刷ジョブを送信した装置の「ＩＰアドレス」、印刷データの「色情報」、印刷データの「ページ数」等に関するデータが登録されている。なお、本例においては、「ユーザＩＤ」および「ＩＰアドレス」のデータがともに登録されている場合について説明したが、図５のユーザ管理テーブルにおいて、登録されたユーザ名と、ユーザＩＤおよびユーザ名に対応してＩＰアドレスが対応づけられているため「ユーザＩＤ」あるいは「ＩＰアドレス」のデータのいずれか一方とすることも可能である。
【００８２】
また、ジョブ管理テーブルに格納されているジョブデータのうちジョブＩＤが小さいものからジョブが実行されるものとする。また、ジョブが実行された場合には、ジョブデータは削除されるものとする。
【００８３】
本例においては、ジョブＩＤ「１００」〜「１０４」までは、待機印刷の印刷ジョブとして受信した場合が示されている。本例においては、一例としてジョブＩＤ「１００」〜「１０４」に対応付けられる待機印刷の印刷ジョブがＨＤＤに蓄積されている場合について説明する。
【００８４】
そして、ジョブＩＤ「１０５」において、即時印刷である通常印刷のジョブを受信した場合が示されている。
【００８５】
ここで、ジョブＩＤ「１０５」において、即時印刷である通常印刷のジョブを受信した場合には、図６の処理に従って、ステップＳ４において即時印刷が実行される。すなわち、ジョブＩＤ「１０５」に対応する印刷ジョブがまずジョブ実行制御手段１１４により実行される。
【００８６】
そして、図６のステップＳ５において、待機印刷ジョブが蓄積されているか否かが判断される。図７の例においては、待機印刷ジョブが蓄積されているため待機印刷が実行される。
【００８７】
図８は、本発明の実施の形態１に従う待機印刷の実行を説明するフロー図である。
図８を参照して、まず待機印刷ジョブを確認する（ステップＳ１１）。
【００８８】
具体的には、ジョブ実行制御手段１１４は、ＲＡＭに格納されているジョブ管理テーブルの情報を取得する。
【００８９】
次に、ジョブＩＤを取得する（ステップＳ１２）。具体的には、ジョブ実効制御手段１１４は、ジョブ管理テーブルに格納されているジョブＩＤの数字が小さい順にジョブＩＤを取得する。
【００９０】
次に、待機印刷確認画面の表示指示をする（ステップＳ１３）。
具体的には、ジョブ実行制御手段１１４は、ジョブ実行確認手段１１６に対してジョブ実行の有無の確認を指示する。
【００９１】
ジョブ実行確認手段１１６は、ジョブＩＤに対応付けられて格納されているジョブデータを取得し、ジョブデータに含まれているＩＰアドレスが割り当てられたユーザ端末に対して通信部１０７を介して待機印刷確認画面を表示するように指示する。
【００９２】
図９は、本発明の実施の形態１に従う待機印刷確認画面を説明する図である。
図９を参照して、ジョブ実行確認手段１１６からの指示に従ってパソコン２００のディスプレイ部２０５において待機印刷確認画面が表示されている場合が示されている。ここでは「あなたの待機印刷を実行しますか」の表示が示されるとともに「ＯＫ」ボタンあるいは「キャンセル」ボタンの押下を選択することが求められる。
【００９３】
ユーザは、当該待機印刷確認画面を確認して、印刷を希望する場合には、「ＯＫ」ボタン６０５を押下（選択）するものとする。一方、ユーザは、印刷を希望しない場合には、「キャンセル」ボタン６１０を押下（選択）するものとする。
【００９４】
また、「詳細」ボタン６１５を押下（選択）することにより待機印刷ジョブに関する詳細なジョブデータを表示することが可能であるものとする。
【００９５】
なお、図示しないが待機印刷確認画面に「削除」ボタンを設けて、当該ボタンの押下（選択）により印刷ジョブを削除できるようにすることも可能である。
【００９６】
ユーザは、「ＯＫ」ボタン６０５を押下（選択）することにより、パソコン２００の通信インターフェース部２０７を介してＭＦＰ１００に対して印刷要求が送信されるものとする。
【００９７】
そして、再び図８を参照して、一定時間内に、印刷要求があるかどうかを判断する（ステップＳ１４）。具体的には、ジョブ実行確認手段１１６は、パソコン２００からの印刷要求を受信したかどうかを判断する。
【００９８】
そして、ステップＳ１４において、一定時間内に印刷要求がないと判断された場合には、待機印刷確認画面の消去を指示する（ステップＳ１６）。具体的には、ジョブ実行確認手段１１６は、パソコン２００に対して通信部１０７を介して待機印刷確認画面を消去するように指示する。当該消去指示により、図９で説明したパソコン２００のディスプレイ部２０５において表示されている待機印刷確認画面が消去されるものとする。これにより、一定時間内に印刷要求が無い場合、例えば待機印刷確認画面が表示されているがユーザがパソコン２００を操作できない状況にいる場合等、待機印刷の実行の有無を確認できない場合には、待機印刷確認画面を消去して、次回、待機印刷の実行が可能な状況の場合に再度待機印刷確認画面を表示して待機印刷の実行の有無を確認することにより、ユーザにとって都合の良いタイミングで待機印刷を実行することが可能でありユーザの利便性に供する。
【００９９】
また、待機印刷確認画面が表示されて任意のタイミングで待機印刷の実行を可能にしてしまうと、ＭＦＰ１００がスリープ状態である省エネモードとなっている可能性もあり、当該状態における待機印刷の実行を不能にすることにより省電力化を図ることが可能である。
【０１００】
なお、待機印刷確認画面の消去とともに、例えば、印刷受付時間終了の表示を指示して、待機印刷が今回実行されなかったことをユーザに通知するようにすることも可能である。また、待機印刷確認画面に、ユーザが選択可能な残り時間を表示して、その時間内にユーザが選択するように促すようにすることも可能である。
【０１０１】
一方、ステップＳ１４において、一定時間内に印刷要求があった場合には印刷を実行する（ステップＳ１５）。具体的には、ジョブ実行確認手段１１６は、パソコン２００からの印刷要求を受信した場合には、印刷要求があった旨をジョブ実行制御手段１１４に通知する。そして、ジョブ実行制御手段１１４は、印刷要求があった待機印刷ジョブに関する印刷データの印刷処理を実行する。具体的には、ジョブ実行制御手段１１４は、印刷データを印刷部１０６に出力して、印刷部１０６において、印刷データの印刷処理を実行する。
【０１０２】
そして、次の待機印刷ジョブが有るかどうかを判断する。具体的には、ジョブ実行制御手段１１４は、次の待機印刷ジョブが有るかどうかを判断して、有る場合には、次のジョブＩＤを取得して（ステップＳ１２）、上述の処理を繰り返すものとする。
【０１０３】
したがって、待機印刷ジョブが複数格納されている場合、本例においてはジョブＩＤ「１００」〜「１０４」まで同様の処理が繰り返されるものとする。
【０１０４】
一方、次の待機印刷ジョブが無いと判断した場合には、処理を終了するものとする（エンド）。そして、スリープ状態である省電力モードに移行するものとする。
【０１０５】
なお、図６のステップＳ６における待機印刷実行中に印刷ジョブを受信した場合、通常印刷である印刷ジョブを受信した場合には、即時印刷であるため上述したステップＳ４における即時印刷を実行し、その後、再び、待機印刷を実行するものとする。また、待機印刷である印刷ジョブを受信した場合には、ジョブ管理テーブルに追加して上述の処理を実行するものとする。
【０１０６】
本実施の形態１に従う方式により、通常印刷ジョブである即時印刷が実行された後、待機印刷ジョブが蓄積されている場合には、待機印刷ジョブを実行することにより、装置がプリントアウト可能状態であるウォームアップ状態に移行した場合を利用して待機印刷ジョブをまとめて実行することにより、消費電力を低減することが可能である。
【０１０７】
そして、本実施の形態１に従う方式においては、装置がプリントアウト可能状態である場合に、待機印刷確認画面を待機印刷ジョブを送信したユーザ端末であるパソコンに表示させて、ユーザに印刷するか否かの要求をすることが可能であり、印刷するとのユーザの指示に従って印刷が実行される。
【０１０８】
したがって、ユーザは、待機印刷について、ユーザの指示に従って待機印刷が実行されることを認知することが可能であり、ユーザが気づかない間にプリントされて放置されるような状況を防止することが可能である。結果として印刷物が他の人と混じって誤って持ち去られる場合を抑制することが可能であり、省電力化を十分に図ることが可能である。また、待機印刷ジョブについて、ユーザが自己が望まないタイミングで印刷される場合には、待機印刷ジョブの実行を拒否することが可能であるため、ユーザにとっても都合のよいタイミングで印刷することが可能であり利便性が高い。
【０１０９】
（実施の形態２）
図１０は、本発明の実施の形態２に従う待機印刷の実行を説明するフロー図である。
【０１１０】
図１０を参照して、まず待機印刷ジョブの確認を実行する（ステップＳ２０）。具体的には、ジョブ実行制御手段１１４は、ＲＡＭに格納されているジョブ管理テーブルの情報を取得する。
【０１１１】
次に、待機印刷ジョブに色情報が複数あるかどうかを判断する（ステップＳ２１）。
具体的には、ジョブ実行制御手段１１４は、ジョブ管理テーブルの情報の「色情報」を確認して「カラー」、「モノクロ」が混在しているかどうかを判断する。
【０１１２】
待機印刷ジョブに色情報が複数あると判断された場合には前回印刷ジョブを確認する（ステップＳ２２）。具体的には、ジョブ実行制御手段１１４は、前回実行した印刷ジョブのジョブデータの「色情報」を確認する。
【０１１３】
そして、次に待機印刷ジョブの並び替えを実行する（ステップＳ２３）。具体的には、ジョブ実行制御手段１１４は、ジョブ並び替え手段１１２に対してジョブの並び替えを指示する。
【０１１４】
ジョブ並び替え手段１１２は、前回実行した印刷ジョブのジョブデータの「色情報」に基づいて、同一の「色情報」の印刷ジョブが連続して実行されるように並び替えを実行する。
【０１１５】
上述の例を用いると、ジョブＩＤ「１０５」において、即時印刷である通常印刷のジョブを受信した後、待機印刷が実行される。
【０１１６】
ジョブＩＤ「１０５」に対応するジョブデータの色情報は「カラー」である。
したがって、ジョブ並び替え手段１１２は、印刷ジョブのジョブデータの「色情報（カラー）」に基づいて、カラーの待機印刷ジョブが連続して実行されるように並び替えを実行する。
【０１１７】
具体的には、ジョブＩＤの小さい値から順番に実行されるように並び替える。
図１１は、本発明の実施の形態２に従う待機印刷ジョブの並び替えを実行した場合のジョブ管理テーブルを説明する図である。
【０１１８】
図１１を参照して、即時印刷の印刷ジョブは既に印刷が実行されているためジョブ管理テーブルから削除されているものとする。
【０１１９】
そして、即時印刷の印刷ジョブのジョブデータの「色情報」は「カラー」であるためジョブＩＤ「１００」はそのままの状態を維持し、ジョブＩＤ「１０１」の色情報はモノクロであり、ジョブＩＤ「１０２」の色情報はカラーであるため順序が入れ替わる。また、ジョブＩＤ「１０３」の色情報はモノクロであり、ジョブＩＤ「１０４」の色情報はカラーであるため順序が入れ替わる。すなわち、１つ上のジョブＩＤの色情報と比較して同一の色情報か否かを判断し、１つ上のジョブＩＤの色情報が同一の色情報であるか、あるいは、「モノクロ」となるように当該入れ替え処理を繰り返す。
【０１２０】
当該方式により、図１１で示される順序の印刷ジョブが配列されることになる。
図１１で示されるように、カラーの色情報を有するジョブＩＤ「１００」、「１０２」、「１０４」の順番に配列され、モノクロの色情報を有するジョブ「１０１」、「１０３」の順番に配列される。
【０１２１】
一方、ステップＳ２１において、待機印刷ジョブに色情報が複数ない場合には、待機印刷ジョブの並び替えを実行せず、ステップＳ２４に進む。
【０１２２】
ステップＳ２４以降の処理については、図８のステップＳ１２以降の処理と同様であるのでその詳細な説明は繰り返さない。
【０１２３】
当該方式により、連続して同一の色情報を有する待機印刷ジョブが実行される。具体的には、待機印刷のジョブを並び替えることによりカラーをまとめて、あるいはモノクロをまとめて待機印刷を実行することが可能である。
【０１２４】
カラーと、モノクロの印刷では、定着器における昇温の温度が異なるためカラー、モノクロの印刷が繰り返されると温度制御ために温度調節に余分な消費電力が必要となる。
【０１２５】
したがって、カラーをまとめて、あるいはモノクロをまとめて待機印刷を実行することにより消費電力を低減することができる。
【０１２６】
特に、前回印刷ジョブ例えば即時印刷のジョブデータの色情報に基づいて印刷ジョブの並び替えが行われるため、消費電力をより低減することが可能である。
【０１２７】
また、別の面としてカラーと、モノクロの印刷では、ローラ等駆動部品の制御が異なる。例えば、モノクロの印刷の場合には、カラーで駆動していたローラを停止する等する必要があり、当該駆動制御に余分な消費電力が必要となるため、カラーあるいはモノクロをまとめて待機印刷を実行することにより消費電力を低減することが可能である。
【０１２８】
（実施の形態３）
図１２は、本発明の実施の形態３に従う待機印刷の実行を説明するフロー図である。
【０１２９】
図１２を参照して、まず待機印刷ジョブの確認を実行する（ステップＳ３０）。具体的には、ジョブ実行制御手段１１４は、ＲＡＭに格納されているジョブ管理テーブルの情報を取得する。
【０１３０】
次に、待機印刷ジョブにユーザＩＤが複数あるかどうかを判断する（ステップＳ３１）。具体的には、ジョブ実行制御手段１１４は、ジョブ管理テーブルに複数種類のジョブＩＤが有るかどうかを判断する。
【０１３１】
具体的には、ジョブ実行制御手段１１４は、ジョブ管理テーブルのユーザＩＤの番号が混在しているかどうかを判断する。
【０１３２】
ユーザＩＤが複数あると判断された場合には、ユーザＩＤ毎に待機印刷ジョブを並び替える（ステップＳ３２）。そして、次のステップＳ３３に進む。具体的には、具体的には、ジョブ実行制御手段１１４は、ジョブ並び替え手段１１２に対してジョブの並び替えを指示する。
【０１３３】
ジョブ並び替え手段１１２は、ジョブ管理テーブルにある同一のユーザＩＤの印刷ジョブが連続して実行されるように並び替えを実行する。
【０１３４】
具体的には、ジョブＩＤの小さい値から順番に実行されるように並び替える。
図１３は、本発明の実施の形態３に従う待機印刷ジョブの並び替えを実行した場合のジョブ管理テーブルを説明する図である。
【０１３５】
図１３を参照して、即時印刷の印刷ジョブは既に印刷が実行されているためジョブ管理テーブルから削除されているものとする。
【０１３６】
具体的には、ジョブＩＤ「１００」のユーザＩＤは「３」であり、同一のユーザＩＤは存在しないのでそのままの状態を維持し、ジョブＩＤ「１０１」のユーザＩＤは「２」であり、同一のジョブＩＤ「１０３」のユーザＩＤは「２」であるためジョブＩＤ「１０２」とジョブＩＤ「１０３」とが入れ替わるものとする。
【０１３７】
当該方式により、図１３で示される順序の印刷ジョブが配列されることになる。
図１３で示されるように、ユーザＩＤ「２」と、ユーザＩＤ「１」に対応する印刷ジョブがそれぞれ連続して配列される。
【０１３８】
一方、ステップＳ３１において、待機印刷ジョブにユーザＩＤが複数ない場合には、待機印刷ジョブの並び替えを実行せず、ステップＳ３３に進む。
【０１３９】
ステップＳ３３において、ユーザＩＤに対応したジョブＩＤを一括する。
具体的には、ジョブ実行制御手段１１４は、ユーザＩＤ毎にジョブＩＤを一括処理する。具体的には、ジョブＩＤ「１０１」、「１０３」をユーザＩＤ「２」に対応付けて一まとめにする。また、ジョブＩＤ「１０２」、「１０４」をユーザＩＤ「１」に対応付けて一まとめにする。
【０１４０】
そして、次にユーザＩＤ毎に待機印刷確認画面の表示指示をする（ステップＳ３４）。
具体的には、ジョブ実行制御手段１１４は、ジョブ実行確認手段１１６に対してジョブ実行の有無の確認を指示する。
【０１４１】
ジョブ実行確認手段１１６は、ユーザＩＤに対応付けられているＩＰアドレスが割り当てられたユーザ端末に対して通信部１０７を介して待機印刷確認画面を表示するように指示する。
【０１４２】
具体的には、ジョブ実行確認手段１１６は、ユーザＩＤ「１」、ユーザＩＤ「２」、ユーザＩＤ「３」についてそれぞれ割り当てられているＩＰアドレスのユーザ端末に対して待機印刷確認画面を表示するようにそれぞれ指示する。
【０１４３】
ここで、待機印刷確認画面については、図９と同様の待機印刷確認画面とすることが可能である。そして、「詳細」ボタン６１５を押下（選択）することにより待機印刷ジョブに関する詳細なジョブデータを表示することが可能であるものとする。ジョブＩＤが一括されている場合には、２つのジョブのジョブデータを表示することが可能である。また、ジョブデータを一括して削除したり、あるいは、２つのジョブが有る場合には、それぞれのジョブを選択して削除可能なようにすることも可能であるものとする。なお、削除した場合には、削除要求が送信されてジョブ管理テーブルからジョブデータが削除されるものとする。
【０１４４】
そして、ユーザＩＤ毎に一定時間内に、印刷要求があるかどうかを判断する（ステップＳ３５）。具体的には、ジョブ実行確認手段１１６は、送信した各ユーザ端末からの印刷要求を受信したかどうかを判断する。
【０１４５】
そして、ステップＳ３５において、ユーザＩＤ毎に一定時間内に印刷要求がないと判断された場合には、待機印刷確認画面の消去を指示する（ステップＳ３７）。具体的には、ジョブ実行確認手段１１６は、送信したユーザ端末に対して通信部１０７を介して待機印刷確認画面を消去するように指示する。
【０１４６】
一方、ステップＳ３５において、ユーザＩＤ毎に一定時間内に印刷要求があった場合には、ユーザＩＤに対応する待機印刷ジョブの印刷を実行する（ステップＳ３６）。具体的には、ジョブ実行確認手段１１６は、例えばユーザＩＤ「２」のパソコン２５０からの印刷要求を受信した場合には、印刷要求があった旨をジョブ実行制御手段１１４に通知する。そして、ジョブ実行制御手段１１４は、印刷要求があった待機印刷ジョブに関する印刷データの印刷処理を実行する。具体的には、ジョブ実行制御手段１１４は、ジョブＩＤ「１０１」および「１０３」にそれぞれ対応する印刷データを印刷部１０６に出力して、印刷部１０６において、印刷データの印刷処理を実行する。
【０１４７】
本実施の形態３に従う方式により、実施の形態１で説明した効果に加え、ユーザＩＤ毎に一括して印刷処理が実行されるため、一度の確認で全て印刷処理が実行されるため利便性が高い。また、自己の印刷ジョブについて連続して実行されるため他人の印刷物と自分の印刷物とが混在することを抑制することが可能であり、他の人と混じって誤って持ち去られる場合を抑制することが可能であり、省電力化を十分に図ることが可能である。また、印刷要求を受信したユーザＩＤに対応する印刷ジョブから印刷処理が実行されるため待ち時間が減少し、さらに省電力化を図ることができる。
【０１４８】
（実施の形態４）
図１４は、本発明の実施の形態４に従う待機印刷の実行を説明するフロー図である。
【０１４９】
図１４を参照して、まず待機印刷ジョブの確認を実行する（ステップＳ４０）。具体的には、ジョブ実行制御手段１１４は、ＲＡＭに格納されているジョブ管理テーブルの情報を取得する。
【０１５０】
次に、待機印刷ジョブにユーザＩＤが複数あるかどうかを判断する（ステップＳ４１）。具体的には、ジョブ実行制御手段１１４は、ジョブ管理テーブルに複数種類のジョブＩＤが有るかどうかを判断する。
【０１５１】
具体的には、ジョブ実行制御手段１１４は、ジョブ管理テーブルのユーザＩＤの番号が混在しているかどうかを判断する。
【０１５２】
ユーザＩＤが複数あると判断された場合には、ユーザＩＤ毎に待機印刷ジョブを並び替える（ステップＳ４２）。そして、次のステップＳ４３に進む。具体的には、具体的には、ジョブ実行制御手段１１４は、ジョブ並び替え手段１１２に対してジョブの並び替えを指示する。
【０１５３】
ジョブ並び替え手段１１２は、ジョブ管理テーブルにある同一のユーザＩＤの印刷ジョブが連続して実行されるように並び替えを実行する。
【０１５４】
具体的には、ジョブＩＤの小さい値から順番に実行されるように並び替える。
そして、上述した図１３で示される順序の印刷ジョブが配列されるものとする。
【０１５５】
そして、ステップＳ３４において、ユーザＩＤに対応したジョブＩＤを一括する。
具体的には、ジョブ実行制御手段１１４は、ユーザＩＤ毎にジョブＩＤを一括処理する。具体的には、ジョブＩＤ「１０１」、「１０３」をユーザＩＤ「２」に対応付けて一まとめにする。また、ジョブＩＤ「１０２」、「１０４」をユーザＩＤ「１」に対応付けて一まとめにする。
【０１５６】
そして、次にユーザＩＤ毎に待機印刷確認画面の表示指示をする（ステップＳ４４）。
具体的には、ジョブ実行制御手段１１４は、ジョブ実行確認手段１１６に対してジョブ実行の有無の確認を指示する。
【０１５７】
ジョブ実行確認手段１１６は、ユーザＩＤに対応付けられているＩＰアドレスが割り当てられたユーザ端末に対して通信部１０７を介して待機印刷確認画面を表示するように指示する。
【０１５８】
具体的には、ジョブ実行確認手段１１６は、ユーザＩＤ「１」、ユーザＩＤ「２」、ユーザＩＤ「３」についてそれぞれ割り当てられているＩＰアドレスのユーザ端末に対して待機印刷確認画面を表示するようにそれぞれ指示する。
【０１５９】
ここで、待機印刷確認画面については、図９と同様の待機印刷確認画面とすることが可能である。そして、「詳細」ボタン６１５を押下（選択）することにより待機印刷ジョブに関する詳細なジョブデータを表示することが可能であるものとする。ジョブＩＤが一括されている場合には、２つのジョブのジョブデータを表示することが可能である。
【０１６０】
そして、ユーザＩＤ毎に一定時間内に、印刷要求があるかどうかを判断する（ステップＳ４５）。具体的には、ジョブ実行確認手段１１６は、送信した各ユーザ端末からの印刷要求を受信したかどうかを判断する。
【０１６１】
そして、ステップＳ４５において、ユーザＩＤ毎に一定時間内に印刷要求がないと判断された場合には、待機印刷確認画面の消去を指示する（ステップＳ４９）。具体的には、ジョブ実行確認手段１１６は、送信したユーザ端末に対して通信部１０７を介して待機印刷確認画面を消去するように指示する。
【０１６２】
一方、ステップＳ４５において、ユーザＩＤ毎に一定時間内に印刷要求があった場合には、ジョブ実行受付画面にユーザ毎に選択ボタンを表示する（ステップＳ４６）。
【０１６３】
図１５は、本発明の実施の形態４に従うジョブ実行受付画面を説明する図である。
図１５を参照して、本発明の実施の形態４に従うジョブ実行受付画面７００が表示されている。
【０１６４】
ここでは、ユーザＩＤに対応するユーザ名が表示されている。具体的には、「Ａさん」、「Ｂさん」、「Ｃさん」のボタン７０２，７０４，７０６が設けられ、それぞれ選択可能な状態として設けられている。
【０１６５】
再び、図１４を参照して、次に、一定時間内に選択指示が有ったかどうかを判断する（ステップＳ４７）。
【０１６６】
具体的には、ジョブ実行確認手段１１６は、ジョブ実行受付画面において、一定時間内にユーザ名に対応するボタンの押下（選択）が有ったかどうかを判断する。
【０１６７】
そして、選択が有った場合には、選択されたユーザＩＤに対応する待機印刷ジョブの印刷を実行する（ステップＳ４８）。具体的には、図１５のジョブ実行受付画面において、ユーザは、当該ジョブ実行受付画面を確認して、自己のユーザ名に対応するボタンを押下（選択）することにより、ユーザ名に対応する待機印刷ジョブの印刷処理が実行される。
【０１６８】
具体的には、ジョブ実行制御手段１１４は、「Ａさん」のボタン７０２を押下（選択）した場合には、ジョブＩＤ「１０２」および「１０４」にそれぞれ対応する印刷データを印刷部１０６に出力して、印刷部１０６において、印刷データの印刷処理を実行する。
【０１６９】
一方、一定時間内にジョブ実行受付画面において、選択指示が無かった場合には、ジョブ実行受付画面を消去する（ステップＳ４９＃）。そして、処理を終了する。すなわち、スリープ状態である省電力モードに移行するものとする。
【０１７０】
本実施の形態４に従う方式により、実施の形態１で説明した効果に加え、ユーザＩＤ毎に一括して印刷処理が実行されるため他人の印刷物と自分の印刷物とが混在することを抑制することが可能であり、他の人と混じって誤って持ち去られる場合を抑制することが可能であり、省電力化を十分に図ることが可能である。
【０１７１】
特に、本実施の形態４においては、各ユーザ端末において印刷要求を指示した場合には、ＭＦＰ１００の操作パネル部１０５にジョブ実行受付画面が表示され、ユーザがＭＦＰ１００の操作パネル部１０５のジョブ実行受付画面における自己のユーザ名のボタンを押下して印刷処理が実行される。
【０１７２】
したがって、ユーザがＭＦＰ１００に到着して、印刷の指示を実行してから印刷処理が開始されるため他の人の印刷物と混在することをさらに抑制することができるとともに、印刷物の放置を抑制することが可能である。
【０１７３】
なお、上記においては、待機印刷確認画面において、待機印刷の印刷要求を指示して、さらに、ジョブ実行受付画面において、印刷を指示する場合について説明したが、待機印刷確認画面において、待機印刷の実行の有無を求めず、待機印刷ジョブが実行される旨の情報の提示のみとすることも可能である。
【０１７４】
そして、ジョブ実行受付画面において、待機印刷確認画面を表示したユーザ端末に対応するユーザ名のボタンを表示して、ユーザ名を押下（選択）することにより、印刷データの印刷処理を実行するようにしても良い。これにより、煩雑な操作を必要とせず、簡易に待機印刷の印刷処理を実行することも可能である。
【０１７５】
（実施の形態５）
上記の実施の形態においては、装置がプリントアウト可能状態であるウォームアップ状態に移行した場合に、待機印刷確認画面を待機印刷ジョブを送信したユーザ端末であるパソコンに表示させて、ユーザに印刷するか否かの要求をする場合について説明したが、ユーザがユーザ端末付近にいない場合には、待機印刷確認画面が表示されてもユーザは確認することができない。
【０１７６】
一方、ユーザの携帯端末にも待機印刷確認画面が表示されていることを通知可能であれば、ユーザにとって利便性が高い。
【０１７７】
例えば、図１で示される携帯端末４００，４５０に情報を通知する場合について説明する。
【０１７８】
図１６は、本発明の実施の形態５に従う待機印刷確認画面の追加配信の設定を説明するフロー図である。
【０１７９】
図１６を参照して、まず、ユーザＩＤ毎に待機印刷確認画面消去指示回数をカウントする（ステップＳ５０）。
【０１８０】
そして、次に、カウント数が「２」以上か否かを判断する（ステップＳ５１）。そして、カウント数が「２」以上の場合には、追加配信のフラグを「有」に設定する（ステップＳ５２）。
【０１８１】
そして、処理を終了する（エンド）。
図１７は、本発明の実施の形態５に従うＭＦＰ１００の記憶部１０２に格納されているユーザ管理テーブルを説明する図である。
【０１８２】
図１７を参照して、ここでは、ＩＰアドレスに加えて、さらにメールアドレスもユーザ名に対応して登録されている場合が示されている。また、ユーザＩＤにそれぞれ対応して追加配信フラグの欄が設けられている。そして、ユーザＩＤ「１」の追加配信フラグは「有」に設定され、その他は「無」に設定されている場合が示されている。
【０１８３】
本実施の形態５に従う方式においては、例えば、図８のステップＳ１３において、待機印刷確認画面の表示を指示する際に、追加配信のフラグが「有」か「無」かを確認する。
【０１８４】
そいて、追加配信のフラグが「無」の場合には、通常の処理を実行するものとする。
一方、追加配信のフラグが「有」の場合には、対応するメールアドレスの宛先に対して待機印刷確認画面がユーザ端末に表示されている旨を通知する情報を送信するものとする。
【０１８５】
具体的には、ジョブ実行確認手段１１４は、例えばユーザＩＤ「１」であるユーザＡのユーザ端末（パソコン２００）に待機印刷確認画面の表示指示をする際、併せて登録されているメールアドレスに対して待機印刷確認画面が表示されている旨を通知する情報を送信する。
【０１８６】
これにより、ユーザは携帯端末４００からの当該情報の通知に従って待機印刷確認画面において上述した処理を実行することが可能であるためユーザにとって利便性が高い。
【０１８７】
あるいは、当該携帯端末から直接、待機印刷確認画面で説明した印刷要求をＭＦＰ１００に対して送信可能なようにすることも可能である。
【０１８８】
なお、本例においては、カウント数が「２」以上である場合を一例として説明したが、カウント数を「１」とすることも可能であるし、あるいはさらに別の値とすることも可能である。
【０１８９】
あるいは、カウント数に限られず、最初から登録されているメールアドレスに追加配信するようにすることも可能である。
【０１９０】
なお、ＭＦＰ１００を制御する各部について、コンピュータを機能させて、上述のフローで説明したような制御を実行させるプログラムを提供することもできる。このようなプログラムは、コンピュータに付属するフレキシブルディスク、ＣＤ−ＲＯＭ（Compact Disk-Read Only Memory）、ＲＯＭ（Read Only Memory）、ＲＡＭ（Random Access Memory）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１９１】
なお、プログラムは、コンピュータのオペレーションシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【０１９２】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【０１９３】
提供されるプログラム製品は、ハードディスクなどのプログラム格納部にインストールされて実行される。なお、プログラム製品は、プログラム自体と、プログラムが記録された記録媒体とを含む。
【０１９４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１９５】
【図１】本発明の実施の形態１に従う画像形成システムを説明する概略図である。
【図２】本発明の実施の形態に従うＭＦＰ１００の機能ブロック図である。
【図３】本発明の実施の形態１に従うパソコン２００の概略構成を説明するブロック図である。
【図４】本発明の実施の形態１に従うパソコン２００のディスプレイ部２０５に表示される印刷設定画面を説明する図である。
【図５】本発明の実施の形態１に従うＭＦＰ１００の記憶部１０２に格納されているユーザ管理テーブルを説明する図である。
【図６】本発明の実施の形態１に従う印刷ジョブの実行を説明する処理の流れを説明するフロー図である。
【図７】印刷ジョブを受信した場合に蓄積されるジョブ管理テーブルの内容を説明する図である。
【図８】本発明の実施の形態１に従う待機印刷の実行を説明するフロー図である。
【図９】本発明の実施の形態１に従う待機印刷確認画面を説明する図である。
【図１０】本発明の実施の形態２に従う待機印刷の実行を説明するフロー図である。
【図１１】本発明の実施の形態２に従う待機印刷ジョブの並び替えを実行した場合のジョブ管理テーブルを説明する図である。
【図１２】本発明の実施の形態３に従う待機印刷の実行を説明するフロー図である。
【図１３】本発明の実施の形態３に従う待機印刷ジョブの並び替えを実行した場合のジョブ管理テーブルを説明する図である。
【図１４】本発明の実施の形態４に従う待機印刷の実行を説明するフロー図である。
【図１５】本発明の実施の形態４に従うジョブ実行受付画面を説明する図である。
【図１６】本発明の実施の形態５に従う待機印刷確認画面の追加配信の設定を説明するフロー図である。
【図１７】本発明の実施の形態５に従うＭＦＰ１００の記憶部１０２に格納されているユーザ管理テーブルを説明する図である。
【符号の説明】
【０１９６】
１  画像形成システム、１００  ＭＦＰ、１０１  制御部、１０２  記憶部、１０３  画像読取部、１０４  画像処理部、１０５  操作パネル部、１０６  印刷部、１０７  通信部、１０８  電力モード切替部、１１０  ジョブ受取手段、１１１  内部バス、１１２  ジョブ並び替え手段、１１４  ジョブ実行制御手段、１１６  ジョブ実行確認手段、２００，２５０，３００  パソコン、４００，４５０  携帯端末、８００  ネットワーク。
【図１】
2010137410.tif 000003
【図２】
2010137410.tif 000004
【図３】
2010137410.tif 000005
【図４】
2010137410.tif 000006
【図５】
2010137410.tif 000007
【図６】
2010137410.tif 000008
【図７】
2010137410.tif 000009
【図８】
2010137410.tif 000010
【図９】
2010137410.tif 000011
【図１０】
2010137410.tif 000012
【図１１】
2010137410.tif 000013
【図１２】
2010137410.tif 000014
【図１３】
2010137410.tif 000015
【図１４】
2010137410.tif 000016
【図１５】
2010137410.tif 000017
【図１６】
2010137410.tif 000018
【図１７】
2010137410.tif 000019